(57)【要約】      （修正有）【課題】未熟練作業者であっても、正確かつ迅速なレベル測定を可とする測量用標尺を提供する。【解決手段】標尺Ｓ担当作業者は、基準点に測量用標尺Ｓの正面を望遠鏡に正対するように垂直に立設し、スライド部材２の固定ねじ７を弛緩し、望遠鏡の担当作業者の合図にしたがい、スライド部材２を摺動させ、望遠鏡の視準線が測量用標尺Ｓの視準線合わせマーク４に合致したときに、固定ねじ７を固定させ、モニター６の電源スイッチ９を入れて、０セットボタンを押す。標尺Ｓ担当作業者は、第２の測定点に移動し、再びスライド部材２の固定ねじ７を弛緩し、望遠鏡の担当作業者の合図にしたがい、スライド部材２を摺動させ、望遠鏡の視準線が測量用標尺Ｓの視準線合わせマーク４に合致したときに、固定ねじ７を固定する。モニター６には、基準点との高低差が−○○ｍｍ又は＋○○ｍｍと表示される。さらに第３、第４の測定点に順次移動し各点で同様な作業を繰り返す。【選択図】図１
0003149610.tif 000002
【実用新案登録請求の範囲】
【請求項１】
平断面視正方形又は長方形とした中空状の本体と、
当該本体の外周壁部に取り付けられ上下に昇降自在なスライド部材とからなる、
望遠鏡又はレーザビームを用いるレベル測量用標尺であって、
前記スライド部材には望遠鏡用の視準線合わせマーク又はレーザビーム受光器とを備えると共に、
前記スライド部材が前記本体に沿って昇降した寸法を計測するカウンタと、
当該カウンタで計測された数値をデジタル表示するためのモニターとを取り付けてなる、
ことを特徴とする、望遠鏡又はレーザビームを用いるレベル測量用標尺。
【請求項２】
前記スライド部材の背面部上方には前記本体の外周壁部に当該スライド部材を固定又
は弛緩するための手動用固定ねじが螺着されている、
ことを特徴とする、請求項１に記載する望遠鏡又はレーザビームを用いるレベル測量用標尺。
【請求項３】
前記スライド部材の背面部には前記カウンタ、モニター及び当該カウンタ、モニターを作動させる電源スイッチ、０セットボタン、バッテリーを配設するための函状ケースが取り付けられており、
かつ、函状ケースの上面部には本体の水平・垂直を修正又は／及び確認するための気泡入り水準器が取り付けられている、
ことを特徴とする、請求項１〜請求項２の何れかに記載する望遠鏡又はレーザビームを用いるレベル測量用標尺。
【請求項４】
前記カウンタは垂直方向に回転する回転体であり、その回転に伴い前記本体の背面壁部を上昇又は下降移動した寸法を計測し、当該計測数値をモニターにデジタル表示する、
ことを特徴とする、請求項１〜請求項３の何れかに記載する望遠鏡又はレーザビームを用いるレベル測量用標尺。
【請求項５】
前記回転体は前記函状ケース内の下方両側壁部に軸架されると共に、前記本体の背面壁部に正回転又は逆回転自在に当接して取り付けられている、
ことを特徴とする、請求項１〜請求項４の何れかに記載する望遠鏡又はレーザビームを用いるレベル測量用標尺。
【請求項６】
前記回転体の正回転に伴って計測した上昇移動した寸法の数値を前記モニターに−表示又は赤色表示するように設定されている、
ことを特徴とする、請求項１〜請求項５の何れかに記載する望遠鏡又はレーザビームを用いるレベル測量用標尺。
【請求項７】
前記回転体の逆回転に伴って計測した下降移動した寸法の数値を前記モニターに＋表示又は黒色表示するように設定されている、
ことを特徴とする、請求項１〜請求項６の何れかに記載する望遠鏡又はレーザビームを用いるレベル測量用標尺。
【請求項８】
前記本体及びスライド部材の素材は、アルミニウム材又はＦＲＰである、
ことを特徴とする、請求項１〜請求項７の何れかに記載する望遠鏡又はレーザビームを用いるレベル測量用標尺。
【請求項９】
前記望遠鏡用の視準線合わせマークが赤色ラインである、
ことを特徴とする、請求項１〜請求項８の何れかに記載する望遠鏡又はレーザビームを用いるレベル測量用標尺。
【考案の詳細な説明】
【技術分野】
【０００１】
本考案は、望遠鏡又はレーザビームを用いるレベル測量用標尺に関し、より詳しくは
中空状の本体と、当該本体の外周壁部に取り付けられて上下に昇降自在なスライ
ド部材とからなり、スライド部材には昇降寸法を計測するカウンタと、計測数値をデジタル表示するモニターを取り付けてレベル測量を正確かつ迅速に行うことが可能な望遠鏡又はレーザビームを用いるレベル測量用標尺に関する。
【背景技術】
【０００２】
レベル測量とは、レベル（水準儀）と標尺を使って、基準点から測定点との高低差を求める測量である。このレベル測量を行う際には、通常、レベル（水準儀）として望遠鏡を所定の場所（基準点）に配置し、当該望遠鏡の視準線を測定点に水平方向に向け、この視準線を基準線として測定点に配置された標尺の目盛りを読み取り、計算器等により基準点と測定点との高低差を算出し、測量ノート（野帳）等に記載している。また近年、レベル（水準儀）を発光式オートレベルと称される、レーザビームを用いて行うレベル測量も普及してきている。発光式オートレベルは、基準点を決めるために、先ずレーザビーム発光機（親機）から発光されたレーザビームを、測定点に配置した標尺に取りつけたレーザビーム受光部（子機）で受光した位置を水平線（基準線）としてセットし、当該標尺の位置に印を付ける。次に測定点に移動して標尺を配置し、再びレーザビーム発光機（親機）から発光されたレーザビームをレーザビーム受光部（子機）で感知した位置を水平としてセットし、前の基準点に付けた印を付けた位置の目盛りを読み取り、スケール等により基準点と測定点との高低差を算出し、測量ノート（野帳）等に記載している。
【０００３】
一方、標尺は、スタッフ又は箱尺とも称され、従来の標尺は、長尺の箱になっており、多くは三段入れ子式（例えば、特許文献１（図１、図２参照））に伸縮可能となっている。そして、箱の正面には、その下端に設定したゼロ目盛を基点とする長さ目盛が設けられている。望遠鏡又はレーザビームを用いてレベル測量を行う際には、測定点に鉛直に立てた標尺の目盛を水平な視準線上で目視によって読み取り、読み取った標尺のデータに基づいて両測定点間の高低差を算出している。
【０００４】
このような、上記従来のレベル（水準儀）と標尺によるレベル測量には、次のような問題点がある。
（１）目視によって標尺の目盛を読み取るので、データの誤差が出やすく、熟練を要する。（２）高低差の計算をしなければならないので、手間がかかり、長時間の測量となる。
（３）計算ミスが生じ易く、したがって、測量が不正確になり易い。
（４）高低差計算のために計算器やスケールを常時携行しなければならない。
（５）標尺は主に木製の棒又はアルミ製角柱の三段入れ子式で、重量があり、広範囲に亘って測量することがあるので、特に標尺担当の作業者の疲労度が大となることがある。
【０００５】
レベル測量用の標尺に関する、上記の従来技術の問題点を解消するために、若干の提案がなされている。（例えば、特許文献２（第２頁、参照））には、ポールと、このポールに上下移動可能に取り付けた長尺の可動スケールとよりなり、かつ前記可動スケールは、その中間部に設定したゼロ目盛を基点として下側に設けたプラスの長さ目盛と、上側に設けたマイナスの長さ目盛を有していることを特徴とする標尺が開示されている。
【先行技術文献】
【特許文献】
【０００６】
【特許文献１】特開平９−２８７９５１号公報
【特許文献２】特開平１０−２２１０８０号公報
【考案の概要】
【考案が解決しようとする課題】
【０００７】
しかしながら、上記の特許文献１及び特許文献２によっても、従来の標尺によるレベル測量の各種問題点を解決することはできていない現状にある。そこで本考案が解決しようとする課題は、以下の通りである。
第１の課題は、データの誤差をなくしレベル測量の経験が少ない作業者でも正確かつ迅速なレベル測量が可能である。
第２の課題は、本体を手動によるスライド部材の昇降で高低差をモニター表示し、計算器又はスケール等による高低差の算出を不要とし、効率的なレベル測量作業を行うことである。
第３の課題は、標尺の全体重量を軽量化し、作業者の疲労度を軽減する。
ことが可能な、望遠鏡又はレーザビームを用いるレベル測量用標尺の提供にある。
【課題を解決するための手段】
【０００８】
本考案者は、上記従来技術が有する各種問題点に鑑み、鋭意検討を重ね、特にスライド
部材が昇降した寸法を計測するカウンタと、当該カウンタで計測された数値をデジタル表示するためのモニターとを取り付けることにより、本考案の主要な課題が解決することを知見して、本考案を完成させたものである。
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載の用語について
の解釈上の疑義を解消すべく、以下に本考案の実用新案登録請求の範囲、明細書等に記載する用語の説明を行うこととする。
〈用語の説明〉
○本体とは、アルミニウム材又はＦＲＰ（Ｆｉｂｅｒｇｌａｓｓ  Ｒｅｉｎｆｏｒｃｅｄ
Ｐｌａｓｔｉｃｓ：繊維強化プラスチック）を素材とする平断面視正方形又は長方形とした中空状の角柱をいう。その全体高さＨは、約１ｍ〜２ｍとされ、上端部及び下端部は
雨水又は塵埃等が浸入することを防止するために閉塞されている。
○スライド部材とは、本体の外周壁部を抱持するように取り付けられ、上下に摺動自在と
された部材をいう。素材は本体と同一であり、その全体高さｈは、約３０ｃｍ〜３５ｃｍとされている。
○カウンタとは、本体に沿って昇降した寸法を計測する回転体をいう。回転体の正回転又は逆回転により計測された数値をｍｍ単位でモニターにデジタル表示される。
○モニターとは、カウンタで計測された数値をデジタル表示するための表示画面をいう。
モニターは、スライド部材の背面部に固定された函状ケースに取り付けられている。
○函状ケースとは、回転体、モニター、電源スイッチ、０セットボタン及び前記モニターを駆動させるバッテリー等を配設するための収納ボックスをいう。
○回転体の正回転とは、函状ケースに軸架された回転体（カウンタ）が本体に沿って上昇する動作をいう。
○回転体の逆回転とは、函状ケースに軸架された回転体（カウンタ）が本体に沿って下降する動作をいう。
＊＊＊＊＊＊＊＊＊＊＊＊＊＊＊＊＊＊＊＊＊＊＊＊＊＊＊＊＊＊＊＊＊＊＊＊＊＊＊＊
【０００９】
上記の課題を解決するための第１の考案は、請求項１に記載する考案であり、
平断面視正方形又は長方形とした中空状の本体と、
当該本体の外周壁部に取り付けられ上下に昇降自在なスライド部材とからなる、
望遠鏡又はレーザビームを用いるレベル測量用標尺であって、
前記スライド部材には望遠鏡用の視準線合わせマーク又はレーザビーム受光器とを備
えると共に、
前記スライド部材が前記本体に沿って昇降した寸法を計測するカウンタと、
当該カウンタで計測された数値をデジタル表示するためのモニターとを取り付けてなる、
ことを特徴としている。
【００１０】
上記の課題を解決するための第２の考案は、請求項２に記載する考案であり、
前記スライド部材の背面部上方には前記本体の外周壁部に当該スライド部材を固定又
は弛緩するための手動用固定ねじが螺着されている、
ことを特徴としている。
【００１１】
上記の課題を解決するための第３の考案は、請求項３に記載する考案であり、
前記スライド部材の背面部には前記カウンタ、モニター及び当該カウンタ、モニターを作動させる電源スイッチ、０セットボタン、バッテリーを配設するための函状ケースが取り付けられており、
かつ、函状ケースの上面部には本体の水平・垂直を修正又は／及び確認するための気泡入り水準器が取り付けられている、
ことを特徴としている。
【００１２】
上記の課題を解決するための第４の考案は、請求項４に記載する考案であり、
前記カウンタは垂直方向に回転する回転体であり、その回転に伴い前記本体の背面壁部を上昇又は下降移動した寸法を計測し、当該計測数値をモニターにデジタル表示する、
ことを特徴としている。
【００１３】
上記の課題を解決するための第５の考案は、請求項５に記載する考案であり、
前記回転体は前記函状ケース内の下方両側壁部に軸架されると共に、前記本体の背面壁部に正回転又は逆回転自在に当接して取り付けられている、
ことを特徴としている。
【００１４】
上記の課題を解決するための第６の考案は、請求項６に記載する考案であり、
前記回転体の正回転に伴って計測した上昇移動した寸法の数値を前記モニターに−表示又は赤色表示するように設定されている、
ことを特徴としている。
【００１５】
上記の課題を解決するための第７の考案は、請求項７に記載する考案であり、
前記回転体の逆回転に伴って計測した下降移動した寸法の数値を前記モニターに＋表示又は黒色表示するように設定されている、
ことを特徴としている。
【００１６】
上記の課題を解決するための第８の考案は、請求項８に記載する考案であり、
前記本体及びスライド部材の素材は、アルミニウム材又はＦＲＰである、
ことを特徴としている。
【００１７】
上記の課題を解決するための第９の考案は、請求項９に記載する考案であり、
前記望遠鏡用の視準線合わせマークが赤色ラインである、
ことを特徴としている。
【考案の効果】
【００１８】
本考案に係る、望遠鏡又はレーザビームを用いるレベル測量用標尺は、上記した特徴的な構成になるから、以下のような効果を奏する。すなわち、
第１の考案によれば、本考案は、
「平断面視正方形又は長方形とした中空状の本体と、
当該本体の外周壁部に取り付けられ上下に昇降自在なスライド部材とからなる、
望遠鏡又はレーザビームを用いるレベル測量用標尺であって、
前記スライド部材には望遠鏡用の視準線合わせマーク又はレーザビーム受光器とを備
えると共に、
前記スライド部材が前記本体に沿って昇降した寸法を計測するカウンタと、
当該カウンタで計測された数値をデジタル表示するためのモニターとを取り付けてなる」という、極めて特徴ある構成とされ、
また、第２の考案によれば、
「前記スライド部材の背面部上方には前記本体の外周壁部に当該スライド部材を固定又
は弛緩するための手動用固定ねじが螺着されている」という、特徴ある構成とされてい
るので、データの誤差をなくしレベル測量の経験が少ない作業者でも正確かつ迅速なレ
ベル測量が可能とする、第１の課題を解決することができた。
【００１９】
第３の考案によれば、
「前記スライド部材の背面部には前記カウンタ、モニター及び当該カウンタ、モニターを作動させる電源スイッチ、０セットボタン、バッテリーを配設するための函状ケースが取り付けられており、
かつ、函状ケースの上面部には本体の水平・垂直を修正又は／及び確認するための気泡入り水準器が取り付けられている」という、特徴ある構成とし、
第４の考案によれば、
「前記カウンタは垂直方向に回転する回転体であり、その回転に伴い前記本体の背面壁部を上昇又は下降移動した寸法を計測し、当該計測数値をモニターにデジタル表示する」
という、特徴ある構成とし、
第５の考案によれば、
「前記回転体は前記函状ケース内の下方両側壁部に軸架されると共に、前記本体の背面壁部に正回転又は逆回転自在に当接して取り付けられている」という、特徴ある構成としているので、本体を手動によるスライド部材の昇降で高低差をモニター表示し、計算器又はスケール等による高低差の算出を不要とし、効率的なレベル測量作業を行うという第２の課題を解決することができた。
【００２０】
第６の考案によれば、
「前記回転体の正回転に伴って計測した上昇移動した寸法の数値を前記モニターに−表示又は赤色表示するように設定されている」
という、特徴ある構成とし、
第７の考案によれば、
「前記回転体の逆回転に伴って計測した下降移動した寸法の数値を前記モニターに＋表示又は黒色表示するように設定されている」
という、特徴ある構成としているので、回転体の上昇又は下降移動した寸法の数値を間違えることなく視認して読み取ることができ、正確な高低差を算出することができた。
【００２１】
第８の考案によれば、
「前記本体及びスライド部材の素材は、アルミニウム材又はＦＲＰである」
という、特徴ある構成としているので、標尺の全体重量を軽量とすることができるので作業者の疲労度を軽減することができた。
【００２２】
第９の考案によれば、
「前記望遠鏡用の視準線合わせマークが赤色ラインである」
という、特徴ある構成としているので、基準線を迅速に確定することが容易であるから、測量作業の作業性を高めることができた。
【図面の簡単な説明】
【００２３】
【図１】は、本考案に係る、望遠鏡用の測量用標尺Ｓを構成する主要な部材を示す斜視図である。
【図２】（イ）は、望遠鏡用の測量用標尺Ｓの一部切欠正面図、（ロ）は、同背面図、（ハ）は、同平面図である。
【図３】（イ）は、レーザビーム用の測量用標尺ＬＳの一部切欠正面図、（ロ）は、同背面図、（ハ）は、同平面図である。
【図４】は、図２（ロ）における４−４線断面図である。
【図５】は、図４における５−５線拡大断面図である。
【図６】は、図４における要部拡大図である。
【図７】（イ）及び（ロ）は、モニターにおける数値を表示した状態の正面図である。
【図８】（イ）は、測量用標尺Ｓ又はＬＳの使用状態を示す側面図、（ロ）は、同使用状態を示す平面図である。
【考案を実施するための形態】
【００２４】
以下、本考案に係る、望遠鏡又はレーザビームを用いるレベル測量用標尺（以下、測量用標尺Ｓという）に関する実施形態について、図面を参照しながら説明する。
図１は、本考案に係る、望遠鏡用の測量用標尺Ｓを構成する主要な部材を示し、１は本体、２はスライド部材、３はカウンタ、４は望遠鏡用の視準線合わせマーク、５はレーザビーム受光器、６はモニター、７は固定ねじ、８は気泡入り水準器、９は電源スイッチ、９ａは０セットボタン、１０はバッテリー、１１は函状ケースである。
【００２５】
図２（イ）、（ロ）及び（ハ）に示すように、本体１は、例えば、巾寸が１５ｍｍ×１５ｍｍのアルミニウム材又はＦＲＰ（Ｆｉｂｅｒｇｌａｓｓ  Ｒｅｉｎｆｏｒｃｅｄ  Ｐｌａｓｔｉｃｓ：繊維強化プラスチック）からなる中空状の角柱で、その全体高さＨは、約５０ｃｍ〜２．５ｍとされ、上端部１ａ及び下端部１ｂは閉塞されている。スライド部材２は、本体１と同様にアルミニウム材又はＦＲＰを素材とし、本体１の外周壁部１ｃを抱持するように、かつ上下に摺動自在に固定ねじ７によって取り付けられている。スライド部材２の全体高さｈは、約３０ｃｍ〜３５ｃｍとされている。スライド部材２のほぼ中央には望遠鏡用の視準線合わせマーク４である赤色ラインが水平に表示されている。またスライド部材２の背面部２ｂの下方には函状ケース１１が取り付けられ、函状ケース１１内にはカウンタ３、モニター６、電源スイッチ９、０セットボタン９ａ及びバッテリー１０等が配設されている（図４、参照）。函状ケース１１の上面部１１ａには本体１の水平・垂直を修正又は／及び確認するための気泡入り水準器８が装着されている。
【００２６】
図３は、レーザビーム用の測量用標尺ＬＳの実施態様を示している。図１〜図２に示す望遠鏡用の測量用標尺Ｓとレーザビーム用の測量用標尺ＬＳとの相異点は、望遠鏡用の測量用標尺Ｓの視準線合わせマーク４に換えて、レーザビーム用の測量用標尺ＬＳにおけるスライド部材２の正面部２ａのほぼ中央にはレーザビーム受光器５が配設されている点で、他の構成部材は、望遠鏡用の測量用標尺Ｓとほぼ同じである。５ａはビーム受光面、５ｂはホルダー、５ｃは取付けねじ、５ｄは報知具、５ｅはレーザビーム受光器５を駆動するバッテリーである。
【００２７】
図４は、スライド部材２が本体１に固定された状態を示している。図示するようにスラ
イド部材２を本体１に固定する固定手段は固定ねじ７である。固定ねじ７は、スライド部
材２の背面部２ｂ上方に設けられた取付ナット７ａを介して螺着され、その先端部７ｂは、
本体１の外周壁部１ｃを押圧してスライド部材２の移動を規制するストッパーの働きをするものであり、測量に際しスライド部材２を上昇又は下降するときは、固定ねじ７を手指等により回動・弛緩し、所定の位置（測点）に達すれば、固定ねじ７は、再び回動・固定される。
【００２８】
図５及び図６は、カウンタ（回転体）３が函状ケース１１に軸架されている状態を示している。カウンタ（回転体）３の素材は、耐摩耗性及び密着性のあるゴム材又は合成樹脂材、例えばフッ素樹脂材等が好ましい。函状ケース１１に軸架されたカウンタ（回転体）３の円周寸法は、その回転に伴う所定の寸法、例えば、１正回転（図７、Ｕ）すれば、スライド部材２は、本体１の外周壁部１ｃを５０ｍｍ上昇（Ｕ矢線方向）し、またカウンタ（回転体）３が１逆回転（図７、Ｄ）すれば、外周壁部１ｃを５０ｍｍ下降（矢線Ｄ方向）するように設定されている。カウンタ（回転体）３の回転軸３ａは、函状ケース１１の両側壁部１１ｂに正回転又は逆回転自在に軸架されており、またカウンタ（回転体）３は、函状ケース１１に設けられた開口部１１ｃから本体１の外周壁部１ｃ側に突出し、外周面３ｂの一部は常時、本体１背面部の外周壁部１ｃに密着して当接している。スライド部材２の上昇（Ｕ）又は下降（Ｄ）は、図７に示すように手動によるカウンタ（回転体）３の正逆回転に伴って行われるようになっている。なお、図７等に示すバッテリー１０は、モニター６を表示させるための電源で、函状ケース１１の一方の側壁に開閉自在に設けられた開閉扉１１ｄの内部に取り付けられ、バッテリー１０は、必要に応じて適宜取り替えられることが可能となっている。
【００２９】
図７（イ）及び（ロ）は、モニター６における数値を表示した状態の正面図である。図７（イ）は、例えば、スライド部材２が上昇し、これに伴いカウンタ（回転体）３が１／２正回転されたときの表示画面で、−２５．０ｍｍと表示６ａされている。表示６ａは、−を表示しないで赤色で２５．０ｍｍと上昇寸法のみを表示することもできる。図７（ロ）は、例えば、スライド部材２が下降し、これに伴いカウンタ（回転体）３が１／２逆回転されたときの表示画面で、＋２５．０ｍｍと表示６ｂされている。表示６ｂは、＋を表示しないで黒色で２５．０ｍｍと下降寸法のみを表示することもできる。
【００３０】
次に図８（イ）及び（ロ）を参照して、本考案に係る、測量用標尺Ｓ及びＬＳの使用態様について説明する。図８（イ）及び（ロ）において、Ｍ又はＬＢは、レベル（水準儀）の望遠鏡又はレーザビーム発振器で、測量地のほぼ中心Ｃに所定の高さ、例えば１４０ｃｍに配置されている。まず、望遠鏡Ｍによるレベル（水準儀）測量について説明する。標尺Ｓ担当作業者は、基準点Ｐに測量用標尺Ｓの正面を望遠鏡Ｍに正対するように垂直に立設し、スライド部材２の固定ねじ７を弛緩し、望遠鏡Ｍの担当作業者の合図にしたがい、スライド部材２を摺動させ、望遠鏡Ｍの視準線Ｌが測量用標尺Ｓの視準線合わせマーク４に合致したときに、固定ねじ７を固定させ、モニター６の電源スイッチ９を入れて、０セットボタン９ａを押す。標尺Ｓ担当作業者は、測定点Ｘ１に移動し、再びスライド部材２の固定ねじ７を弛緩し、望遠鏡Ｍの担当作業者の合図にしたがい、スライド部材２を摺動させ、望遠鏡Ｍの視準線Ｌが測量用標尺Ｓの視準線合わせマーク４に合致したときに、固定ねじ７を固定する。モニター６には、基準点Ｐとの高低差が−○○ｍｍ又は＋○○ｍｍと表示６ａ又は６ｂがデジタル表示される。そして表示された数値を測量ノート（野帳）等に記載してつぎの測定点Ｘ２、測定点Ｘ３、測定点Ｘ４…と順次測量作業が効率よく進められる。
【００３１】
レーザビーム発振器ＬＢを用いたレベル（水準儀）測量は、上述の望遠鏡Ｍを用いたレベル（水準儀）測量とほぼ同様に行われる。即ち標尺Ｓ担当作業者は、予め測量地のほぼ中心Ｃに設置したレーザビーム発振器ＬＢからビームＢを発振させる。標尺Ｓ担当作業者は、基準点Ｐでスライド部材２を摺動させ、レーザビーム発振器ＬＢのビームＢが測量用標尺Ｓのレーザビーム受光器５のビームＢが受光面５ａに合致したときに報知具５ｄが鳴動すれば、スライド部材２の固定ねじ７を固定させ、モニター６の電源スイッチ９を入れて、０セットボタン９ａを押す。標尺Ｓ担当作業者は、測定点Ｘ１に移動し、再びスライド部材２の固定ねじ７を弛緩し、スライド部材２を摺動させ、レーザビーム発振器ＬＢのビームＢがレーザビーム受光器５に合致したときに、固定ねじ７を固定する。モニター６には、基準点Ｐとの高低差が−○○ｍｍ又は＋○○ｍｍと表示６ａ又は６ｂがデジタル表示される。そして表示された数値を測量ノート（野帳）等に記載してつぎの測定点Ｘ２、測定点Ｘ３、測定点Ｘ４…と順次測量作業が効率よく進められる。
【符号の説明】
【００３２】
Ｍ            望遠鏡
ＬＢ          レーザビーム発振器
Ｓ            望遠鏡用の測量用標尺
ＬＳ          レーザビームの測量用標尺
１            本体
２            スライド部材
３            カウンタ（回転体）  
４            望遠鏡用の視準線合わせマーク
５            レーザビーム受光器
６            モニター
７            固定ねじ
８            気泡入り水準器
９            電源スイッチ
９ａ          ０セットボタン
１０          バッテリー
１１          函状ケース
１１ａ        上面部
１１ｂ        両側壁部
【図１】
0003149610.tif 000003
【図２】
0003149610.tif 000004
【図３】
0003149610.tif 000005
【図４】
0003149610.tif 000006
【図５】
0003149610.tif 000007
【図６】
0003149610.tif 000008
【図７】
0003149610.tif 000009
【図８】
0003149610.tif 000010